(57)【要約】【課題】ストレージ装置の回転可能な部分をロックするための装置を与える。【解決手段】装置は、回転可能な部分に回転不能に係合された構成要素を含み、構成要素は、構成要素に対して回転不能な表面に配置された第２の歯部を係合するための第１の歯部を有する。第１の歯部と第２の歯部との係合を推進するために、構成要素とリールの間にばねが配置される。構成要素は摺動可能にリールに係合され、そのため、構成要素を引くことによって、構成要素はリールに対して摺動して第１の歯部が第２の歯部から係合解除され、それによりリールと構成要素とが回転することが可能になる。リールに配置された媒体にアクセスする方法は、ストレージ装置の底部からリールを押しのけるステップと、第１の歯部を第２の歯部から係合解除するために構成要素を引き下ろすステップと、媒体にアクセスするためにリールを回転させるステップとを含む。【選択図】      図２
2006318631.tif 000002
【特許請求の範囲】
【請求項１】
ストレージ装置用リールロックであって、
ロック構成要素のリールに相対した回転を防ぐためにリールと係合されるロック構成要素を含み、ロック構成要素はロック構成要素に対して回転不能な表面と解除可能に係合するよう、かつ力に応じて回転不能な表面から係合解除するよう動作可能である、リールロック。
【請求項２】
ロック構成要素とリールとの間に配置される拡張構成要素をさらに含み、ロック構成要素は、回転不能な表面に規定される第２の歯部を係合するための第１の歯部と、第２の歯部を係合するよう第１の歯部を付勢するための拡張構成要素とを含む、請求項１に記載のリールロック。
【請求項３】
第１の歯部はロック構成要素のディスク状部分の表面上で規定され、ディスク状部分はリールの部分と径方向に重なり、第２の歯部はストレージ装置のハウジングの内面に形成される、請求項２に記載のリールロック。
【請求項４】
拡張構成要素は、回転軸にリールおよびロック構成要素と同軸に配置される圧縮ばねであり、拡張構成要素はさらに、リールとロック構成要素との間に配置される、請求項２に記載のリールロック。
【請求項５】
ロック構成要素は、力に応じてリールおよび回転不能な表面に対して動くことにより、回転不能な表面から係合解除するよう動作可能である、請求項２に記載のリールロック
【請求項６】
力はストレージ装置の外部の源から加わり、ロック構成要素はさらにロック構成要素に力を結合するための部分を含む、請求項１に記載のリールロック。
【請求項７】
力を結合するための部分は磁気材料から形成され、力の源はドライブ結合の磁気構成要素である、請求項６に記載のリールロック。
【請求項８】
ロック構成要素は、回転軸のリールの中央部分と同軸に配置される一般に円筒状の部分を有し、中央部分はロック構成要素の円筒状の部分に形成される１つ以上の突起を受取るための１つ以上のノッチを有する、請求項１に記載のリールロック。
【請求項９】
中央部分は、ロック構成要素の円筒状の部分を受取るためのジャーナルを含み、ノッチはジャーナルの内面に形成され、突起は円筒状の部分の外面に形成され、ロック構成要素の円筒状の部分は回転軸と一般に平行な方向にジャーナルに対して摺動可能である、請求項８に記載のリールロック。
【請求項１０】
ハウジングと、
データ記憶媒体を保持するためのリールとを含み、リールはハウジングに配置され、さらに、
ロック構成要素に相対したリールの回転を防ぐためにリールを係合するよう、ロック構成要素に対して回転不能な表面を解除可能に係合するよう、かつ、ロック構成要素上の力に応じて回転不能な表面から係合解除するよう動作可能なロック構成要素を含む、ストレージ装置。
【請求項１１】
ロック構成要素は、リールとロック構成要素との間の拡張力によって回転不能な表面に係合するよう付勢される、請求項１０に記載のストレージ装置。
【請求項１２】
拡張力は、リールとロック構成要素との間に配置される拡張構成要素によって作られる、請求項１１に記載のストレージ装置。
【請求項１３】
拡張構成要素は、第１の端部と、第２の端部と、ロック構成要素の一般に円筒状の部分の外径より大きな内径とを有する一般に円筒状の圧縮ばねであって、ロック構成要素はさらに、リールの少なくとも一部分で重なるディスク状部分を含み、拡張構成要素は、拡張構成要素の第１の端部がディスク状部分の第１の表面を押し、第２の端部がロック構成要素ディスク状部分と重なるリールの部分を押すように、一般に円筒状の部分の外径のまわりに同軸に配置される、請求項１２に記載のストレージ装置。
【請求項１４】
回転不能な表面から係合解除する力は引く力である、請求項１２に記載のストレージ装置。
【請求項１５】
引く力は、強磁性要素によってロック構成要素に結合される、請求項１４に記載のストレージ装置。
【請求項１６】
引く力は、ストレージ装置の外部の強磁性構成要素から来る、請求項１５に記載のストレージ装置。
【請求項１７】
強磁性構成要素は電磁石および永久磁石の１つである、請求項１６に記載のストレージ装置。
【請求項１８】
強磁性構成要素はドライブ結合に取付けられる、請求項１７に記載のストレージ装置。
【請求項１９】
強磁性要素は環状の部分を有し、環状の部分の内径はリールの底部に規定される穴を通してアクセス可能であって、内径はリール上に形成される第１のドライブ歯部とドライブ結合上に形成される第２のドライブ歯部との位置合わせを助ける、請求項１８に記載のストレージ装置。
【請求項２０】
ロック構成要素は、回転不能な表面に配置される第２の歯部を係合するための第１の歯部を含む、請求項１０に記載のストレージ装置。
【請求項２１】
第１の歯部はロック構成要素の第１の表面上で径方向に規定され、第１の表面はロック構成要素の回転不能な表面に対向する、請求項２０に記載のストレージ装置。
【請求項２２】
ロック構成要素は、リールおよびロック構成要素の回転軸と一般に平行な方向に動くことが可能であって、可能な動きは第１の歯部を第２の歯部から解除可能に係合し、かつ係合解除するためである、請求項２０に記載のストレージ装置。
【請求項２３】
ロック構成要素は一般に円筒状の部分を含み、円筒状の部分は１つ以上の突起を備えた外面を有し、リールは１つ以上の突起と接合するための１つ以上のノッチを備えた内面を有するジャーナル部分を含み、ノッチとジャーナルとの相対的な配置はジャーナル部分に沿ったロック構成要素の円筒状の部分の摺動を与える、請求項１０に記載のストレージ装置。
【請求項２４】
ロック構成要素の円筒状の部分は中空の内部を有し、ハウジングは、位置合わせボスをその上に備えた内面を有する頂部を含み、ボスは内面から中空の内部へ突出し、かつ外径を有し、外径は一般に内面に近接した中空の内部の内径のサイズに合い、外径は内面の遠位に向うほどより小さくなる、請求項２３に記載のストレージ装置。
【請求項２５】
中空の内部は一般に円筒状であり、ボスの外径は内面の近傍から内面のより遠位に向ってテーパ状になる、請求項２４に記載のストレージ装置。
【請求項２６】
ハウジングは、位置合わせボスが形成される内面を有する頂部を含み、ボスは内面から一般に垂直に突出し、かつ内面の近傍から内面のより遠位に向ってテーパ状になる、請求項１０に記載のストレージ装置。
【請求項２７】
ハウジングは、頂部および底部を含み、底部はリールの底面の部分がそこを通じてアクセス可能であるような穴を規定し、部分は部分に形成される第１のドライブ歯部を有し、第１のドライブ歯部はドライブ結合に形成される第２のドライブ歯部を係合するためである、請求項１０に記載のストレージ装置。
【請求項２８】
ストレージ装置の媒体にアクセスする方法であって、
ストレージ装置のハウジングの部分からリールが離れるよう動かすステップと、
リールに回転不能かつ摺動可能に係合されたロック構成要素を部分に向って引くステップとを含み、引くステップは、ロック構成要素に対して回転不能な表面に配置される第２の歯部を係合するためにロック構成要素に配置される第１の歯部を付勢する力を克服するためであり、さらに、
媒体にアクセスするためにリールを回転させるステップとを含む、方法。
【発明の詳細な説明】
【技術分野】
【０００１】
背景
分野
本発明は、テープリールなどの回転可能な部分を有する記憶装置に関し、より特定的には、回転可能な部分を固定するためのロックシステムに関する。
【背景技術】
【０００２】
関連技術の説明
磁気テープカートリッジなどのストレージ装置は、ストレージ装置の回転可能な部分（例えばテープリール）を望まない回転または他の動きに対して固定するための手段を与え得る。このような固定手段は、回転可能な部分に配置された媒体上にデータを読出したり書込んだりするためにストレージ装置にアクセスする場合、回転可能な部分が自由に回転することができるよう、解除可能でなければならない。例として、テープカートリッジはその上に磁気テープが配置されるリールを有していてもよく、テープカートリッジがライブラリシステムに格納されている場合はリールが回転しないよう固定され、ドライブにおいてテープカートリッジがアクセスのために検索される場合は、リールは回転できるよう解放され得るので、リールに配置された磁気テープにアクセスし得る。
【０００３】
さらにテープカートリッジに関しては、従来の技術は、リールの径方向の縁部に配置される（すなわち回転軸から径方向に向う）歯部を含むリールと、テープカートリッジのハウジングに取付けられたアーム機構とを含み、アーム機構はリールの回転を防ぐためにリールの歯部を係合するよう回転し、かつリールが回転できるよう歯部から遠ざかって回転する。このような機構は複雑になり得、典型的には、歯部とアームとの間に単一の接点を与え得る。別のロック機構もまた従来のものであり、ロック機構とリールの部分との間により分散された接触面を備える。テープカートリッジのコンテキストにおけるこのロック機構が図１に示される。このロック機構もある種の欠点を有しており、それは本願明細書に記載される。したがって、ストレージ装置の回転可能な部分を解除可能に固定するための向上した機構に対する需要がある。
【発明の開示】
【課題を解決するための手段】
【０００４】
要約
例示的な局面は、ストレージ装置用のリールロックを含む。リールロックは、ロック構成要素のリールに相対した回転を防ぐためにリールと係合されるロック構成要素を含む。ロック構成要素は、ロック構成要素に対して回転不能な表面と解除可能に係合し、かつ力に応答して回転不能な表面から係合解除するよう動作可能である。
【０００５】
別の例示的な局面は、例示的なロック構成要素を有するストレージ装置を含む。ストレージ装置は、記憶媒体を保持するためのリールおよびハウジングをさらに含む。
【０００６】
さらなる例示的な局面は、例示的なリールロックを解除する方法を含む。方法は、ストレージ装置のハウジングの部分からリールが離れるよう動かすステップと、リールに回転不能かつ摺動可能に係合されたロック構成要素をその部分に向って引くステップとを含む。引くステップは、ロック構成要素に対して回転不能な表面に配置される第２の歯部を係合するために、ロック構成要素に配置される第１の歯部を付勢する力を克服するためのステップである。その後リールは媒体にアクセスするため回転する。
【０００７】
本願明細書の局面および実施例を説明するため、下記の説明において添付の図面が参照される。
【発明を実施するための最良の形態】
【０００８】
詳細な説明
以下の記載は、当業者が本発明のさまざまな局面を行い、利用することを可能にするよう示される。特定の材料、手法および適用例の記載は例としてのみ与えられる。本願明細書に記載された例のさまざまな変形は当業者に容易に明らかになり、ここに規定された一般的な原理は、本発明の精神および範囲から逸脱することなく他の例および適用例に応用され得る。例えば、局面および例は、テープカートリッジを含むさまざまなストレージ装置に使用され得る。本発明の局面によるセンタリールロックは、多くの方法で設計され、動作することができる。本願明細書に与えられる例示的な主題は、さまざまな発明の局面の例示のためにあり、それらの局面の適用可能性を図示される装置に限定するように意図されるものではない。
【０００９】
図１は、センタリールロック機構を有する先行技術カートリッジ１００を示す。リール１５０は、頂部１０５および底部１０６を有するハウジングに配置される。真っ直ぐなボス１２０が頂部１０５から延在し、圧縮ばね１２５がボス１２０の内径に配置される。ブレーキ要素１０７はボス１２０の外径のまわりに配置され、ブレーキ要素は径方向に延在するアーム１４５を含み、アーム１４５の各々は、リール１５０の歯状部１０４に対向する歯状部１０９を有する。ブレーキ要素１０７は、頂部１０５から延在するスポーク１１０によって回転しないよう固定される。圧縮ばね１５５は、スポーク１１０のばね保持具部分１１５と、続いてスラスト軸受１４０に取付けられるばね保持具１３５との間に配置される。ブレーキ要素１０７は、リールのジャーナル穴に配置された解除ボタン１７５をさらに含み、リール１５０に配置された媒体へのアクセスのために設計されたドライブの部分によってアクセス可能である。
【００１０】
リール１５０は、アクセスホール（別個には表示されない）のまわりのハウジングの底部１０６の径中心に配置される。リールの底部の周辺に配置されるリール推進歯部１７０はアクセスホールを通してアクセス可能であって、媒体へのアクセス中にリール１５０を回転させるための手段を与える。しかしながら、リールが回れるようになる前に、図示されたブレーキ機構が解除されなければならない。解除は、ジャーナル穴を通して解除ボタン１７５を押すことにより達成される。それに関連して、ドライブ要素も推進歯部１７０を押してリール１５０を底部１０６から離して持ち上げる。解除ボタン１７５を押すことによって、ブレーキ要素１０７はハウジングの頂部１０５の方へ押され、それは次に、リール１５０の歯状部分１０４から歯状部分１０９を係合解除する。
【００１１】
特に、ブレーキ要素１０７およびリール１５０のそれぞれの歯状部が再係合しないようにするためには、解除ボタン１７５に連続的な圧力を加えなければならず、それによりリール１５０は再びロックされた位置に戻る。さらに、ブレーキ要素１０７が回転しないよう固定されているので、圧縮ばね１５５を介して接合するリール１５０とブレーキ要素１０７との相対的な回転を与えるためにスラスト軸受１４０を与えなければならない。最後に、ブレーキ解除１７５が固定的なので、ドライブ結合に固定部分が与えられるか、または、ブレーキ解除１７５とカートリッジ１００内の媒体へのアクセス中にブレーキ解除１７５を押すドライブ部材との間に別の回転する接合面があるかのいずれかでなければならない。
【００１２】
ここで図２に移って、ハウジング２０５を有するストレージ装置２００の断面２１０が図示される。ストレージ装置２００は、ＤＬＴ、ＳＤＬＴ、ＬＴＯ型のテープカートリッ
ジなどのあらゆる種類のテープカートリッジであってもよく、または回転しないよう解除可能に固定される１つ以上の回転可能な部分を有するいかなる他のストレージ装置であってもよい。図３から図９に示された断面２１０のさまざまな図において、多様な発明の局面がさらに説明される。
【００１３】
図３は、ストレージ装置２００がアクセスされておらず、例えば自動化されたストレージライブラリに格納され得る場合に現れるであろう断面２１０を示す。ハウジング２０５は頂部３０５および底部３１０を含む。テーパ状ボス３１７は頂部３０５から延在する。ロック構成要素３２０の内径はテーパ状ボス３１７の外径のまわりに配置される。ロック構成要素３２０は、ハウジング２０５の頂部３０５の近傍からハウジング２０５の底部３１０の近傍まで延在する。強磁性ワッシャ３３０はロック構成要素３２０に結合され、ハウジング２０５の底部３１０のアクセスホール３７０（一般的に表示される）を通してアクセス可能である。
【００１４】
さらに、リール３１５の底部に形成されるドライブ結合歯部３７５もアクセスホール３７０を通してアクセス可能である。リール３１５は、使用されていない場合リール３１５が底部３１０の内面上に置かれるようハウジング２０５に配置される。記憶媒体（例えば磁気テープ）がリール３１５に配置されてもよい。リール３１５の中央部にジャーナルが形成され、ロック構成要素３２０が頂部３０５の近傍から底部３１０の近傍まで延在するようロック構成要素３２０の部分がジャーナルに配置されてもよい。
【００１５】
リール３１５およびロック構成要素３２０は、意図される回転軸３８１（一般的に表示される）に対して一般に同軸に配置される。本実施例において、ロック構成要素３２０は、リール３１５のジャーナルに配置されるロック構成要素の部分の外面上に１つ以上の突起を含む。１つ以上の突起は、リール３１５の中央部分に形成される１つ以上の対応するノッチ内に適合するよう形成され、ノッチはリール３１５の中央部分に規定されるジャーナルにおいて形成されてもさらによい。
【００１６】
ロック構成要素３２０の突起とリール３１５の対応するノッチとの相対的な配置によって、リール３１５とロック構成要素３２０とが互いに対して回転不能となる。この配置はまた、本願明細書においてさらに説明されるように、リール３１５とロック構成要素３２０とが一般に回転軸３８１に沿って互いに対して摺動するような性能を与える。換言すれば、リール３１５がそこに配置された媒体へのアクセスのために回転している場合、ロック構成要素３２０はリール３１５とともに回転する。追加的にまたは代替的に、突起はロック構成要素の外面上のジャーナルおよびノッチにおいて形成されてもよい。これらの部材の各々の突起およびノッチのいかなる組み合せが形成されてもよい。
【００１７】
圧縮ばね３３５は、ロック構成要素３２０およびリール３１５と同軸に配置される。圧縮ばね３３５は、ロック構成要素３２０のディスク状の部分３２１の底面およびリール３１５の上面を押す。リール３１５およびロック構成要素３２０が回転軸３８１に沿って互いに相対して摺動し得るので、圧縮ばね３３５が押すことにより、ロック構成要素３２０のディスク状部分３２１の上面に形成される歯部３２３を付勢して頂部３０５の内面に形成される歯部（歯部６０５は図６で初めて別個に表示される）と係合させ、さらにリール３１５を底部３１０の内面に対して付勢する。したがって、ストレージ装置２００が使用されていない場合（例えばリール３１５に配置された媒体にアクセスするためにそのときドライブにない場合）、ロック構成要素３２０の歯部３２３は頂部３０５の歯部と係合し、それによりロック構成要素３２０の回転を防ぎ、さらに、ロック構成要素３２０がリール３１５に相対して回転不能なのでリール３１５は回転しないよう固定される。
【００１８】
したがって、図３に示された要素の構成はリール用センタロック機構を与え、そこでロ
ック機構は、図１に示されたロック機構と対照的に、互いに接触する回転する面を要することなく機能する。別の利点は、スラスト軸受が不要になり得ることであり、それはコスト削減に帰着し得、かつストレージ装置２００の信頼性を増し得る。
【００１９】
ここで例示的なストレージ装置２００のさらなる局面が図４から図９を参照して図示され、説明される。
【００２０】
図４では、ストレージ装置２００が断面２１０にて示され、さらにドライブ結合４０５が追加されている。ドライブ結合４０５はシャフト４１０を含む。シャフト４１０は、ドライブ結合４０５が強磁性ワッシャ３３０の近傍に位置するときにマグネット４２０と強磁性ワッシャ３３０とが互いに引き付け合うように配置されたマグネット４２０と結合される。いくつかの局面において、マグネット４２０の力はある距離を置いた圧縮ばね３３５の力を克服するほど十分に強いことがあり、そのためロック構成要素３２０はマグネット４２０の方へ引き寄せられる。他の局面において、マグネット４２０は、強磁性ワッシャ３３０を介してロック構成要素３２０と結合するような場所に動かされてもよく、その後シャフト４１０を引っ込めることによりロック構成要素が引き下ろされてもよい。
【００２１】
マグネット４２０は永久磁石または電磁石でもよい。さらなる局面において、シャフト４１０は、さまざまな設計を備えた解除可能に連結する物理要素を与えることを含む、磁力による以外のいかなる複数の方法でロック構成要素３２０に解除可能に結合されてもよい。シャフト４１０は、ドライブ結合４０５に相対して動くよう適合されてもよく、シャフト４１０は、ロック構成要素３２０と連結した後ロック構成要素３２０を引くよう引っ込んでもよい。具体的設計または特定の力の源にかかわらず、この例において、ロック構成要素３２０を引くことによって歯部３２３が頂部３０５上に形成される歯部から係合解除され、それによりリール３１５の回転が可能になる。
【００２２】
ドライブ結合４０５は、ドライブ結合４０５の上面に沿って配置される歯部４１５（一般的に表示される）をさらに含む。歯部４１５は、リール３１５の底部に形成されるドライブ結合歯部３７５（図３）を係合するよう形成される。歯部４１５とドライブ結合歯部３７５との係合はリール３１５に回転力を伝達するために用いられてもよい。リール３１５に回転力を伝達する方法として相互に係合する歯部が例示されるが、回転力はさまざまな手段のうちのいずれを介してリールに伝達されてもよい。
【００２３】
ある例示的な発明の局面を要約すると、ドライブ結合４０５は、リール３１５の底面のドライブ結合歯部３７５を係合するための歯部４１５を含み、ドライブ結合４０５は、リール３１５がロック構成要素３２０の解除後に回転できるようリール３１５を底部３１０から押しのけるためのものでもある。ロック構成要素３２０はリール３１５のジャーナルに配置され、リール３１５に対して回転不能である。圧縮ばね３３５はリール３１５とロック構成要素３２０との間に配置され、リール３１５をハウジング２０５の底部３１０の方へ強制し、ロック構成要素３２０を頂部３０５の方へ強制して、ロック構成要素３２０上に形成される歯部３２３は頂部３０５の内面に形成される歯部と係合する。ドライブ結合４０５は、ロック構成要素３２０を係合するため、かつロック構成要素３２０を底部３１０に向って引くためのマグネット４２０を含むシャフト４１０を含む。
【００２４】
図５は、ロック構成要素３２０の例示的な解除における中間ステップを示す。図５は、リール３１５が底部３１０の内面から押しのけられるところを示すが、ロック構成要素３２０はいまだ頂部３０５上の歯部３２３から引き離されていない。圧縮ばね３３５は、底部３１０から離れて頂部３０５に向って動くリール３１５によって圧縮されている。リール３１５は既に底部３１０に接していないので、リール３１５はロック構成要素３２０の解除の際に回転可能になる。他の例において、ロック構成要素３２０は、リール３１５を
底部３１０から押しのける前に解除されてもよい。
【００２５】
図６は、ストレージ装置２００の断面２１０を示し、最初に図３を参照して説明されたように、ロック構成要素３２０は頂部３０５の内面に形成される歯部６０５（一般的な位置が示される）から係合解除されている。上述のように、さまざまな手段を用いてロック構成要素３２０を引き下ろすことにより係合解除が達成され得る。図５に関して表示されるように、リール３１５は底部３１０に接しておらず、ロック構成要素３２０はここで解除されるので、ドライブ結合歯部３７５（図３参照）と係合する歯部４１５に回転力を与えるドライブ結合４０５によってリール３１５が回転されるとき、リールは回転することができる。
【００２６】
ストレージ装置２００の例示的な局面でさらに説明されるのはテーパ状ボス３１７である。図３に関して示されたように、ロック構成要素３２０がロックされた位置（すなわちロック構成要素の歯部３２３が頂部３０５に形成される歯部６０５と係合している位置）にある場合、テーパ状ボス３１７の広い方の直径部分はロック構成要素３２０の内径と一般に等しく、そのためテーパ状ボス３１７はロック構成要素３２０の位置合わせを助ける。図３に示されるようにロックされた位置にある場合、テーパ状ボス３１７はリール３１５を横方向の運動をしないよう固定することをも助ける。図６に関しては、ロック構成要素３２０が解除されるとき、ロック構成要素３２０は、ロック構成要素とテーパ状ボス３１７との間にいくらかの空間があるように、テーパ状ボス３１７の狭い方の直径部分の近傍に配置される。この空間は、ロック構成要素３２０がテーパ状ボス３１７に擦ったり当たったりすることなく回転できるように助ける。
【００２７】
ストレージ装置２００の別の例示的な局面は、強磁性ワッシャ３３０（環状の形状を有する）の穴が、ドライブ結合４０５（および／またはマグネット４２０を備えたシャフト４１０）のための粗い位置合わせ機構として機能し得ることである。この粗い位置合わせ機構を有することは、ストレージ装置２００内の媒体へのアクセスのためのこれらの要素のより素早い位置合わせを助けることができる。この粗い位置合わせ機構により、ドライブ結合４０５のためにより精密でない位置決め機構を用いることができ、かつさまざまな他の測定値および寸法の許容範囲をより広くすることも可能となり得る。所望であれば、強磁性洗浄３３０の穴は省略されてもよい。
【００２８】
上述のさまざまな構成要素の他の設計、配置および性質が考慮される。例えば、ロック構成要素３２０は円形でないか、より壁が厚いか、または１つ以上の部分において固定的であってもよい。リール３１５は特定の設計から導かれる他の形状を有していてもよく、ハウジング２０５の底部３１０からリールの部分が離れるように付勢し得る、異なる厚さ、異なる半径、および踊り場状部分があってもよい。ロック構成要素３２０とリール３１５との間の拡張力を働かせる他の方法も考慮される。例えば複数のばねが用いられてもよい。適切であれば、圧縮ばね以外のばねが用いられてもよい。
【００２９】
さらに、ロック構成要素３２０をドライブ結合４０５に解除可能に取付けるための強磁性ワッシャ３３０とマグネット４２０との相互作用以外のさまざまな方法を与えるような変更が行われてもよい。例えば、さまざまなピンおよび受け部機構が用いられてもよい。そのような機構は、より広い部分およびより狭い部分を有する穴と穴のより広い部分にサイズが合うより広いヘッド部分を有するピンとを備えてもよい。ピンが穴に挿入されると、引張る力がピンに与えられたときにピンが穴から出て来ないように、ヘッドの広い方の部分が穴の狭い方の部分の上部にあるように回転される。ピンを穴から解放するためにはこのプロセスが逆にされ得る。ドライブ結合４０５にロック構成要素３２０を結合するよう機能するロック構成要素３２０の部分は、ロック構成要素３２０と一体的に形成されてもよく、別個に形成されてもよい。
【００３０】
同様に、当業者は、本願明細書に記載された例示的な局面による教示に従ってストレージ装置のさらなる変形を実施することができる。例えば、ドライブ結合４０５と類似したサイズの半径を有するロック構成要素３２０が与えられてもよく、そのような設計では、拡張ばね３３５はロック構成要素３２０の内径に配置されてもよく、ロック構成要素３２０上に形成される歯部３２３は、図３から図６に示されるように外向きでなく、内向きに延在する放射状部分に配置されてもよい。そのような変更を達成するためにリール３１５に適切な変形がなされてもよい。
【００３１】
リール３１５の個別のノッチおよびロック構成要素３２０上の突起は省略されてもよく、その代りに、ロック構成要素のリール３１５を貫く延長部によってロック構成要素３２０とリール３１５との間に摺動可能な係合が与えられてもよい。そのような延長部は、強磁性ワッシャ３３０またはさまざまな配置における他の強磁性材料に取付けられてもよい。ロック構成要素３２０上に形成される歯部３２３を係合するための歯部は、頂部３０５の内面以外の表面上で形成されてもよい。例えば、歯部３２３を係合するための歯部は頂部３０５に結合される構造上に形成されてもよく、その構造はロック構成要素３２０の下に巻付き、そのような例示においては、ロック構成要素３２０を押上げることによりロック構成要素３２０が解除されてもよい。このようなあらゆる変形に適切なクリアランスまたは他の寸法上の考慮を実現するために、リール３１５に適切な変形が与えられてもよい。
【００３２】
さらなる局面では、歯部３２３は図示された以外の方向を向いて表面上に配置されてもよい。例えば歯部３２３は、ロック構成要素３２０の内径に配置されてもよい。その場合テーパ状ボス３１７の外径上の適切な点において歯部が与えられてもよい。そのような局面では、テーパ状ボス３１７は、ロック構成要素３２０が引き下ろされるときにロック構成要素３２０およびリール３１５の解除を正確に実施するために、延長されたり、より大きな角度でテーパ状にされたりしてもよい。さらに、ロック構成要素３２０は引き下ろされる以外の他の方向に動かされてもよい。さらなる局面は、リール３１５自体が回転している位置以外の位置からのロック構成要素３２０の解除機構を与えることを含み得る。これらの実施例はすべて限定ではなく例示として与えられる。当業者によって他の多くの変形が想起され得る。
【００３３】
図７は、ストレージ装置２００の分解立体図を示す。ストレージ装置２００は、頂部３０５、底部３１０、ロック構成要素３２０、圧縮ばね３３５およびリール３１５を含む。（図３に関して説明された）突起７０５は、ロック構成要素３２０の外径上に示される。いくつかの例示的な局面では、これらの突起はリール３１５の内径（ジャーナル部分）に形成されるノッチ７１０に摺動可能に係合する。リール３１５がリール３１５の周囲においてよりも中央部分においてより薄くなるよう、リール３１５の凹んだ中央部分も示される。このより薄い中央部分がリール３１５に対して圧縮ばね３３５を適切な配置で保持することを助け得る。
【００３４】
頂部３０５および底部４１０のさまざまな詳細が図３から図７に示される。これらの詳細は特定のストレージ装置設計の例であって、さまざまなストレージ装置において変動し得る。同様に、本願明細書に図示されたすべての部分の相対的、絶対的寸法は例示のためであって縮尺が正しくないことがある。
【００３５】
図８は、ストレージ装置２００のハウジング２０５の頂部３０５の図を示す。テーパ状ボス３１７は頂部３０５の底面の中央の近くに示される。歯部６０５は上蓋３０５の底面に形成される。歯部６０５はロック構成要素３２０上に形成される歯部３２３を係合するためにある。示される歯部６０５は、環状の突起のまわりに径方向に分散した３つの領域
に規定される。歯部６０５は環状の突起のまわり全体に形成されてもよい。歯部６０５は、頂部３０５の底面から突出するのではなく頂部３０５に埋込まれていてもよい。歯部６０５はさまざまな幅を有するよう規定され得る（例えば歯部６０５が規定される環状の部分の幅は変動し得る）。歯部が規定される場所はさらに、ロック構成要素３２０の設計の変形に応じて変り得る。これらの例から当業者の能力の範囲でさらなる変形がなされる。
【００３６】
図９は、図８の頂部３０５に類似する頂部３０５の図を示し、ロック構成要素３２０およびばね３３５が追加されている。このように図９は、ロック構成要素３２０のディスク状部分３２１の１つの表面上にばね３３５の一方端が置かれ、ディスク状部分３２１の別の表面は頂部３０５の底面に面し、そこにテーパ状ボス３１７および歯部６０５が規定されることを示す。
【００３７】
図１０は、上述のさまざまな例によるストレージ装置に格納されたデータを読み書きするための例示的な方法ステップを示す。ステップ１００５において、ストレージ装置ハウジングの底部に対してリールが押上げられる。図４と図５との間に示される推移は、リール３１５が底部３１０から押上げられるステップ１００５に従った例示的な押すステップを例示する。方法ステップ１００５による押すステップは、ストレージ装置設計の特殊性に依存して異なってもよい。いくつかのストレージ装置では、リールはストレージ装置の底部の内面に触れなくてもよく、そのようなストレージ装置では、ステップ１００５による押すステップは、使用されていないときにリールが接触するストレージ装置のいずれかの部分からリールを押しのけるステップを含んでもよい。
【００３８】
ステップ１０１０において、ロック構成要素は、ロック構成要素上に形成される歯部をロック構成要素に対して回転不能な表面に配置される歯部から係合解除するために引き下ろされる。例示的なステップ１０１０は図５と図６との間で例示され、そこでロック構成要素３２０は歯部３２３を歯部６０５から係合解除するために引き下ろされる。図３から図９に関して記載されたような差異を含むストレージ装置設計の違いに基いて、ステップ１０１０へのさまざまな変形が達成されてもよい。ステップ１０１５において、リールは、リールに配置された媒体が媒体にデータを読み書きするためにアクセスされ得るよう回転する。ステップ１０１５は、単一リール（より一般的には単一の回転可能な部分）を有するストレージ装置のための例示である。方法ステップ１００５から１０１５は、複数のリールの１つ以上に配置される媒体に格納されたデータにアクセスするために必要な場合には、複数のリールを有するストレージ装置のために適合されてもよい。
【００３９】
さまざまなストレージ装置およびテープカートリッジ局面が本願明細書に図示され、記載された。当業者は、各局面に関連する教示がさまざまな実現例に適合され得ることを理解するであろう。さらに、ある構成要素が別個に本願明細書に特定されているが、そのような特定は、そのような構成要素が他の構成要素から別個に形成されなければならないと暗示するものではないことが理解される。同様に、本願明細書に特定された構成要素は、他の設計では従属構成要素に細分されてもよい。
【００４０】
示された例示的な局面から、当業者には他の変更および変形が明らかであろう。例によって本願明細書に記載されたさまざまな例示的な構成要素およびシステムは、単独でまたは組み合せて用いられてもよい。さらに、特定の例が説明され、これらの例が関連する技術における不利益にいかに対処するかが説明された。しかしながらこの説明は、さまざまな例を、実際にそれらの不利益に対処したり解決したりする方法および／またはシステムに制限することを意図しない。
【図面の簡単な説明】
【００４１】
【図１】先行技術のテープカートリッジ用センタリールロックを示す図である。
【図２】さらなる例示のために特定された断面でストレージ装置を示す図である。
【図３】ドライブの外部のストレージ装置の断面を示す図である。
【図４】ストレージ装置のリールのロック解除を開始するための定位置にあるドライブ結合を示す図である。
【図５】ストレージ装置のハウジングの底部から持上げられたリールを示す図である。
【図６】ロックされていない状態のリールおよびロック構成要素を示す図である。
【図７】ストレージ装置の分解図を示す図である。
【図８】ストレージ装置の頂部の図を示す図である。
【図９】ロック構成要素およびばねを備えたストレージ装置の頂部を示す図である。
【図１０】本発明の局面によってリールのロックを解除するための方法ステップを示す図である。
【符号の説明】
【００４２】
２００  ストレージ装置、２０５  ハウジング、２１０  断面
【図１】
2006318631.tif 000003
【図２】
2006318631.tif 000004
【図３】
2006318631.tif 000005
【図４】
2006318631.tif 000006
【図５】
2006318631.tif 000007
【図６】
2006318631.tif 000008
【図７】
2006318631.tif 000009
【図８】
2006318631.tif 000010
【図９】
2006318631.tif 000011
【図１０】
2006318631.tif 000012
【外国語明細書】
2006318631000001.pdf